(57)【要約】【課題】遠隔制御による放送サービスの停止を無効にする不正使用を防止する光受信装置を提供する。【解決手段】互いに分離可能な本体ユニット１０と遠隔制御ユニット３０とを有し、本体ユニット１０に遠隔制御ユニット３０が装着された履歴が有り、且つ、本体ユニット１０に遠隔制御ユニット３０が装着されていない場合に、同軸ケーブル接続用コネクタ１８から出力される信号に制限をかける光受信装置。【選択図】図３
2010016527.tif 000002
【特許請求の範囲】
【請求項１】
受信した放送用光信号を電気信号に変換する機能を有する本体ユニットと、遠隔制御機能の少なくとも一部を分担している遠隔制御ユニットとを有し、
前記本体ユニットと前記遠隔制御ユニットとが互いに分離可能であり、
前記本体ユニットが、
前記本体ユニットに前記遠隔制御ユニットが装着された履歴に関連する装着履歴情報を記憶する記憶部と、
前記装着履歴情報に基づいて、前記本体ユニットに前記遠隔制御ユニットが装着された履歴が有るか否かを判定する装着履歴判定部と、
前記本体ユニットに前記遠隔制御ユニットが装着されているか否かを判定する装着判定部と、
前記装着履歴判定部によって、前記本体ユニットに前記遠隔制御ユニットが装着された履歴が有ると判定され、且つ、前記装着判定部により、前記本体ユニットに前記遠隔制御ユニットが装着されていないと判定された場合に、前記本体ユニットから出力される信号に制限をかける制限部とを備えることを特徴とする光受信装置。
【請求項２】
前記装着履歴判定部によって、前記本体ユニットに前記遠隔制御ユニットが装着された履歴が無いと判定され、且つ、前記装着判定部により、前記本体ユニットに前記遠隔制御ユニットが装着されていないと判定された場合に、前記本体ユニットから出力される信号に制限がかからない請求項１に記載の光受信装置。
【請求項３】
前記本体ユニットに特殊コマンドを入力することにより、前記記憶部に記憶されている前記装着履歴情報の削除が可能である請求項２に記載の光受信装置。
【発明の詳細な説明】
【技術分野】
【０００１】
本発明は、光伝送システムの加入者側に設置され、受信した放送用光信号を電気信号に変換する光受信装置（V-ONU:Video-Optical Network Unit:放送用光加入者端末装置）に関する。
【背景技術】
【０００２】
従来、光伝送システムにおいて、遠隔制御機能を有していないV-ONUが用いられてきた（例えば、特許文献１〜３参照）。遠隔制御機能を有していないV-ONUを用いている光伝送システムでは、料金未払いなどの放送サービス提供停止事由が発生したときは、放送サービス事業者の担当者が加入者宅を訪問し、加入者宅でV-ONUからＲＦ（Radio Frequency）信号が出力されないようにする作業をV-ONUに対して行い、V-ONUからのＲＦ信号出力を物理的にカットしている。
【０００３】
一方、近年、日本ケーブルラボがV-ONU遠隔制御運用仕様（JCL SPEC-014 1.0版）を制定したことから、今後、遠隔制御機能を有しているV-ONUの普及が進むものと考えられる。遠隔制御機能を有するV-ONUは、光伝送システムのセンタ側にて各V-ONUの放送サービスの停止・再開を遠隔制御することができる。このため、料金未払いなどの放送サービス提供停止事由が発生したときに、放送サービス事業者の担当者による加入者宅への訪問が不要になり放送サービス事業者の人的・時間的負担が軽減されるとともに、放送サービス事業者の担当者が顧客（加入者）と対峙しなくても良いので放送サービス事業者の担当者と顧客（加入者）との間のトラブルを防止することができるというメリットがある。
【０００４】
ここで、遠隔制御機能を有するV-ONUの形態として、本体ユニットと遠隔制御ユニットとを有し両者を分離可能とする構成が考えられる。このような構成によると、本体ユニットのみを用いた場合は遠隔制御機能を有していないV-ONUとして利用でき、本体ユニットに遠隔制御ユニットを装着した場合は遠隔制御機能を有するV-ONUとして利用でき、V-ONUを遠隔制御する光伝送システム、V-ONUを遠隔制御しない光伝送システム双方に対応することができる。
【０００５】
【特許文献１】特開２００７−２８８３８４号公報（段落００２２、第２図）
【特許文献２】特開２００７−１２４１７５号公報（段落００３４、段落００３５、第４図）
【特許文献３】実用新案登録第３１３４７６２号公報（要約）
【発明の開示】
【発明が解決しようとする課題】
【０００６】
しかしながら、遠隔制御機能を有するV-ONUを、本体ユニットと遠隔制御ユニットとを有し両者を分離可能とする構成にした場合、加入者が本体ユニットから遠隔制御ユニットを故意に外すことで、遠隔制御による放送サービスの停止を無効にする不正使用が行われる可能性がある。
【０００７】
本発明は、上記の状況に鑑み、遠隔制御による放送サービスの停止を無効にする不正使用を防止する光受信装置を提供することを目的とする。
【課題を解決するための手段】
【０００８】
上記目的を達成するために本発明に係る光受信装置は、受信した放送用光信号を電気信号に変換する機能を有する本体ユニットと、遠隔制御機能の少なくとも一部を分担している遠隔制御ユニットとを有し、前記本体ユニットと前記遠隔制御ユニットとが互いに分離可能であり、前記本体ユニットが、前記本体ユニットに前記遠隔制御ユニットが装着された履歴に関連する装着履歴情報を記憶する記憶部と、前記装着履歴情報に基づいて、前記本体ユニットに前記遠隔制御ユニットが装着された履歴が有るか否かを判定する装着履歴判定部と、前記本体ユニットに前記遠隔制御ユニットが装着されているか否かを判定する装着判定部と、前記装着履歴判定部によって、前記本体ユニットに前記遠隔制御ユニットが装着された履歴が有ると判定され、且つ、前記装着判定部により、前記本体ユニットに前記遠隔制御ユニットが装着されていないと判定された場合に、前記本体ユニットから出力される信号に制限をかける制限部とを備える構成（以下、第一の構成という）とする。
【０００９】
このような構成によると、本体ユニットに遠隔制御ユニットが装着された履歴が有り、且つ、本体ユニットに遠隔制御ユニットが装着されていない場合に、本体ユニットから出力される信号に制限がかかるので、遠隔制御による放送サービスの停止を無効にする不正使用を防止することができる。本体ユニットから出力される信号にかかる制限としては、例えば、本体ユニットからの信号出力をＯＦＦ設定にする態様や、本体ユニットから出力される信号の帯域を制限する態様が挙げられる。
【００１０】
また、上記第一の構成の光受信装置において、前記装着履歴判定部によって、前記本体ユニットに前記遠隔制御ユニットが装着された履歴が無いと判定され、且つ、前記装着判定部により、前記本体ユニットに前記遠隔制御ユニットが装着されていないと判定された場合に、前記本体ユニットから出力される信号に制限がかからない構成（以下、第二の構成という）にすることが望ましい。
【００１１】
このような構成によると、本体ユニットに遠隔制御ユニットが装着された履歴が無い場合、本体ユニットのみを利用し、遠隔制御機能を使用しない運用が可能になる。
【００１２】
また、上記第二の構成の光受信装置において、前記本体ユニットに特殊コマンドを入力することにより、前記記憶部に記憶されている前記装着履歴情報の削除が可能であることが望ましい。
【００１３】
このような構成によると、特殊コマンドの入力により、本体ユニットに遠隔制御ユニットが装着された履歴を削除できるので、一度本体ユニットに遠隔制御ユニットが装着された後に遠隔制御ユニットを取り外した場合でも、本体ユニットのみを利用し、遠隔制御機能を使用しない運用が再度可能になる。
【発明の効果】
【００１４】
本発明に係る光受信装置によると、本体ユニットに遠隔制御ユニットが装着された履歴が有り、且つ、本体ユニットに遠隔制御ユニットが装着されていない場合に、本体ユニットから出力される信号に制限がかかるので、遠隔制御による放送サービスの停止を無効にする不正使用を防止することができる。
【発明を実施するための最良の形態】
【００１５】
本発明の実施形態について図面を参照して以下に説明する。
【００１６】
＜光伝送システム＞
本発明に係る光受信装置を用いるＣＡＴＶ用光伝送システムの一概略構成例を図１に示す。
【００１７】
図１に示す光伝送システムは、V-ONU遠隔制御用パーソナルコンピュータ（以下、V-ONU遠隔制御用パソコンという）１と、ＦＳＫ（Frequency Shift Keying）変調器２と、混合器３と、光送信器４と、光ファイバ５と、光分岐器６と、光ファイバ７−１〜７−ｎと、V-ONU８−１〜８−ｎと、テレビ受信機９−１〜９−ｎとからなる。
【００１８】
V-ONU遠隔制御用パソコン１と、ＦＳＫ変調器２と、混合器３と、光送信器４とはセンタ局に設置され、光分岐器６は伝送線路中に設置され、V-ONU８−１〜８−ｎと、テレビ受信機９−１〜９−ｎとは各加入者宅に設置される。尚、光分岐器６はセンタ局側に設置してもよい。
【００１９】
V-ONU遠隔制御用パソコン１は、V-ONU遠隔制御用ソフトウェアを内部の記憶部（不図示）に格納しており、そのV-ONU遠隔制御用ソフトウェアを実行することで、固有のアドレスが各々に付与されているV-ONU８−１〜８−ｎに対応する遠隔制御信号を周期的に生成し、その遠隔制御信号をＦＳＫ変調器２に出力する。ＦＳＫ変調器２は、V-ONU遠隔制御用パソコン１からの遠隔制御信号をＦＳＫ変調して混合器３に送出する。遠隔制御信号の内容は、V-ONU８−１〜８−ｎに付与されているアドレス毎に、V-ONUからのＲＦ信号出力をＯＮ設定にするかＯＦＦ設定にするかが決められている。
【００２０】
混合器３は、ＴＶ信号であるＲＦ信号と、ＦＳＫ変調器２からのＦＳＫ変調された遠隔制御信号とを混合した混合信号を光送信器４に出力する。光送信器４は、混合器３からの混合信号を光信号に変換し、その光信号を光ファイバ５経由で光分岐器６に伝送する。光送信器４は、例えば、混合器３からの混合信号の変化に応じて光変調度を調整した後、レーザーダイオードにより混合器３からの混合信号を光信号に変換している。
【００２１】
光分岐器６は、光ファイバ５によって伝送されてきた光信号をｎ（ｎは自然数）分岐して各光ファイバ７−１〜７−ｎ経由で各加入者宅の各V-ONU８−１〜８−ｎに伝送する。各加入者宅の各V-ONU８−１〜８−ｎは、受け取った光信号を電気信号に変換し、その電気信号に含まれているＲＦ信号を各加入者宅の各同軸ケーブルを介して各加入者宅の各テレビ受信機９−１〜９−ｎに伝送する。
【００２２】
＜V-ONU＞
V-ONU８−１〜８−ｎはそれぞれ、本発明に係る光受信装置であって、本体ユニット１０と遠隔制御ユニット３０とを有する構成である。遠隔制御ユニット３０が本体ユニット１０に装着されていない場合は図２に示すようになり、遠隔制御ユニット３０が本体ユニット１０に装着されている場合は図３に示すように本体ユニット１０の端子２４〜２６それぞれと遠隔制御ユニット３０の端子３４〜３６それぞれとが接続される。図３に示すように遠隔制御ユニット３０が本体ユニット１０に装着されている場合にセンタ局からの遠隔制御が可能となる。
【００２３】
本体ユニット１０は、光コネクタ１１と、光コネクタ１１からの光信号を電気信号に変換する機能と、その電気信号をＴＶ信号であるＲＦ信号とＦＳＫ変調された遠隔制御信号とに分離する機能を有する光検出部１２と、光検出部１２からのＲＦ信号を増幅するアンプ１３と、アンプ１３からのＲＦ信号のゲインを調整する第１ゲイン制御部１４と、第１ゲイン制御部１４からのＲＦ信号を増幅するアンプ１５と、アンプ１５からのＲＦ信号のゲインを調整する第２ゲイン制御部１６と、第２ゲイン制御部１６からのＲＦ信号を増幅するアンプ１７と、アンプ１７からのＲＦ信号を出力する同軸ケーブル接続用コネクタ１８と、主マイクロコンピュータ（以下、主マイコンという）１９と、Ｄ／Ａコンバータ２１と、ＬＥＤ（Light Emitting Diode）駆動部２２と、受光レベル表示用ＬＥＤ２３と、端子２４〜２６と、電源端子２７と、電源制御部２８とを備えている。主マイコン１９は、不揮発性メモリ（例えばフラッシュメモリ）２０と、ピンＰ１〜Ｐ６とを備えている。
【００２４】
主マイコン１９は、光検出部１２が入力した光信号の受光レベルに関する情報をポートＰ１で受け取り、その受光レベルに応じたＬＥＤ駆動制御信号をポートＰ４からＬＥＤ駆動部２２に出力し、その受光レベルに応じたゲイン調整信号をポートＰ３からＤ／Ａコンバータ２１に出力する。ＬＥＤ駆動部２２は、そのＬＥＤ駆動制御信号に従って、受光レベル表示用ＬＥＤ２３を駆動する。Ｄ／Ａコンバータ２１は、ゲイン調整信号をデジタル信号からアナログ信号に変換し、第１ゲイン制御部１４及び第２ゲイン制御部１６に供給する。第１ゲイン制御部１４及び第２ゲイン制御部１６はそれぞれゲイン調整信号に従ってゲインを調整する。
【００２５】
また、主マイコン１９は、ポートＰ２からの制御信号により、電源制御部２８を制御する。電源制御部２８は、ポートＰ２からの制御信号に従って、アンプ１３、１５、１７及び第１ゲイン制御部１４、第２ゲイン制御部１６への電源供給をＯＮ／ＯＦＦさせている。電源供給をＯＮさせる場合、電源制御部２８は、電源端子２７を介して電源部２９より供給された電力を、アンプ１３、１５、１７及び第１ゲイン制御部１４、第２ゲイン制御部１６に供給する。これにより、V-ONUからのＲＦ信号出力がＯＮ設定になる。一方、電源供給をＯＦＦさせる場合、電源制御部２８は、電源端子２７を介して電源部２９より供給された電力を、アンプ１３、１５、１７及び第１ゲイン制御部１４、第２ゲイン制御部１６に供給しない。これにより、V-ONUからのＲＦ信号出力がＯＦＦ設定になる。
【００２６】
また、主マイコン１９は、本体ユニット１０に遠隔制御ユニット３０が装着されている場合に副マイコン３２のポートＰ９からポートＰ５に供給される遠隔制御情報を不揮発性メモリ２０に格納する。
【００２７】
また、主マイコン１９は、ポートＰ６の電圧に基づいて、本体ユニット１０に遠隔制御ユニット３０が装着されているか否かを判断している。例えば、端子２５と端子３５とが接続されていないときはポートＰ６に所定の電圧がかかり、端子２５と端子３５とが接続されているときはポートＰ６がグランドに落ちるようにする実施態様が考えられる。
【００２８】
また、遠隔制御ユニット３０は、ＦＳＫ復調器３１と、副マイクロコンピュータ（以下、副マイコンという）３２と、端子３４〜３６とを備えている。副マイコン３２は、不揮発性メモリ（例えばフラッシュメモリ）３３と、ピンＰ７〜Ｐ９とを備えている。
【００２９】
ＦＳＫ復調器３１は、本体ユニット１０に遠隔制御ユニット３０が装着されている場合に、光検出部１２から供給されるＦＳＫ変調された遠隔制御信号をＦＳＫ復調して副マイコン３２のポートＰ７に供給する。
【００３０】
副マイコン３２は、本体ユニット１０に遠隔制御ユニット３０が装着されている場合にＦＳＫ復調器３１からポートＰ７に供給される遠隔制御信号から自己のV-ONUアドレスに合致した遠隔制御情報を抽出して不揮発性メモリ３３に格納する。
【００３１】
また、副マイコン３２は、本体ユニット１０に遠隔制御ユニット３０が装着されている場合、不揮発性メモリ３３に格納している遠隔制御情報を、例えばシリアル通信により、周期的にポートＰ９から出力する。
【００３２】
次に、図４のフローチャートを参照して主マイコン１９の概略動作について説明する。本体ユニット１０が電源ＯＮ状態になると、主マイコン１９が起動して図４に示すフローチャートが開始される。尚、本体ユニット１０に遠隔制御ユニット３０が装着されている場合、遠隔制御ユニット３０は本体ユニット１０から電力供給を受けて電源ＯＮ状態になる。
【００３３】
ステップＳ１０において、主マイコン１９は、遠隔制御ユニット３０が装着されているか否かを判定し、遠隔制御ユニット３０が装着されていなければ（ステップＳ１０のＮＯ）、主マイコン１９は、不揮発性メモリ２０が装着履歴情報を格納しているか否かを判定する（ステップＳ２０）。尚、本実施形態では、特殊コマンドを除く遠隔制御情報が装着履歴情報に該当している。
【００３４】
装着履歴情報を格納していないとの判定結果を得た場合（ステップＳ２０のＮＯ）、主マイコン１９は、V-ONUのＲＦ信号出力をＯＮに設定する（ステップＳ３０）。ステップＳ１０、ステップＳ２０及びステップＳ３０の処理により、V-ONU８−１〜８−ｎそれぞれは、遠隔制御ユニット３０が装着された履歴が無い場合、本体ユニット１０のみを利用し、遠隔制御機能を使用しない運用が可能になっている。
【００３５】
装着履歴情報を格納しているとの判定結果を得た場合（ステップＳ２０のＹＥＳ）、主マイコン１９は、V-ONUのＲＦ信号出力をＯＦＦに設定する（ステップＳ４０）。ステップＳ１０、ステップＳ２０及びステップＳ４０の処理により、V-ONU８−１〜８−ｎそれぞれは、遠隔制御ユニット３０が装着された履歴が有る場合、遠隔制御ユニットを装着せずにＲＦ信号出力をＯＮにすることができない。したがって、加入者が本体ユニット１０から遠隔制御ユニット３０を故意に外すことで、遠隔制御による放送サービスの停止を無効にする不正使用が行われることを防止することができる。
【００３６】
ステップＳ１０の判定において、遠隔制御ユニット３０が装着されているとの判定結果を得た場合（ステップＳ１０のＹＥＳ）、主マイコン１０は、不揮発性メモリ２０に格納している遠隔制御情報に基づくＲＦ出力設定を行う、即ち、遠隔制御情報がＲＦ信号出力のＯＮ設定を指示するものであれば、V-ONUからのＲＦ信号出力をＯＮに設定し、遠隔制御情報がＲＦ信号出力のＯＦＦ設定を指示するものであれば、V-ONUからのＲＦ信号出力をＯＦＦに設定する（ステップＳ５０）。ステップＳ５０に続くステップＳ６０では、主マイコン１０は、副マイコン３２からの遠隔制御情報が新たに送られてきたか否かを判定する。
【００３７】
副マイコン３２から遠隔制御情報が新たに送られていなければ（ステップＳ６０のＮＯ）、直接ステップＳ１０に戻る。副マイコン３２から遠隔制御情報が新たに送られてきたならば（ステップＳ６０のＹＥＳ）、その情報が特殊コマンドか否かを判定する（ステップＳ７０）。
【００３８】
副マイコン３２からの遠隔制御情報が特殊コマンドでない場合（ステップＳ７０のＮＯ）、不揮発性メモリ２０に格納している遠隔制御情報を更新し（ステップＳ８０）、その後ステップＳ１０に戻る。ステップＳ１０〜ステップＳ８０の処理によりV-ONU８−１〜８−ｎそれぞれは、本体ユニット１０に遠隔制御ユニット３０が装着されている状態において、遠隔制御機能を使用する運用が可能になっている。
【００３９】
副マイコン３２からの遠隔制御情報が特殊コマンドである場合（ステップＳ７０のＹＥＳ）、不揮発性メモリ２０に格納している装着履歴情報を削除し（ステップＳ９０）、その後ステップＳ１０に戻る。このような特殊コマンドの入力により、遠隔制御ユニット３０が装着された履歴を削除できるので、本体ユニット１０のみを利用し、遠隔制御機能を使用しない運用が再度可能になる。特殊コマンドの入力は、例えば本体ユニット１０に、特殊コマンド書き込み用のデータ書き込み装置（主マイコン１９のポートＰ６の電圧を制御することで、本体ユニット１０に遠隔制御ユニット３０が装着されていると主マイコン１９に判断させることができるとともに、副マイコン２１からの遠隔制御情報とみなせる特殊コマンドを主マイコンのポートＰ５に供給する装置）を接続することによって実行されるようにするとよい。
【００４０】
尚、例えば、停電などにより本体ユニット１０が電源ＯＦＦ状態になるとその時点で図４に示すフローチャートの動作が停止する。そして、本体ユニット１０が再度電源ＯＮ状態になると、図４に示すフローチャートの「開始」に戻ってフローチャートの動作を再開する。
【００４１】
＜変形等＞
遠隔制御の内容は、V-ONUからのＲＦ信号出力のＯＮ／ＯＦＦに限定されることはなく、例えば、V-ONUからのＲＦ信号出力の帯域制御であってもよい。ＲＦ信号が、地上デジタル放送ＴＶ信号と、ＢＳデジタル放送ＴＶ信号及び１１０度ＣＳデジタル放送ＴＶ信号とによって構成されている場合、帯域制御を行うことにより、２つのＴＶ信号の中から任意のＴＶ信号を選択してV-ONUから出力させることができる。この場合、主マイコン１９からの指令に基づいて、アンプ１３に出力するＲＦ信号の帯域制御を行う帯域制御部を、光検出部１２に設けるようにするとよい。
【００４２】
また、上述した実施形態では、電源端子２７を介して電源部２９からの電力を電源制御部２８に供給しているが、本発明はこれに限定されることはない。例えば、電源端子２７を廃止し、電源部２９を本体ユニット１００とテレビ受信機との間に設け、電源部２９からの電力を同軸ケーブルに重畳し、同軸ケーブル接続用コネクタ１８を介して電源制御部２８に供給するようにしてもよい。
【図面の簡単な説明】
【００４３】
【図１】は、本発明に係る光受信装置を用いている光伝送システムの一概略構成例を示す図である。
【図２】は、遠隔制御ユニットが本体ユニットに装着されていない状態の本発明に係る光受信装置の一構成例を示す図である。
【図３】は、遠隔制御ユニットが本体ユニットに装着されている状態の本発明に係る光受信装置の一構成例を示す図である。
【図４】は、本体ユニットの主マイコンの概略動作を示すフローチャートである。
【符号の説明】
【００４４】
１    V-ONU遠隔制御用パソコン
２    ＦＳＫ変調器
３    混合器
４    光送信器
５    光ファイバ
６    光分岐器
７−１〜７−ｎ    光ファイバ
８−１〜８−ｎ    V-ONU
９−１〜９−ｎ    テレビ受信機
１０    本体ユニット
１１    光コネクタ
１２    光検出部
１３、１５、１７    アンプ
１４    第１ゲイン制御部
１６    第２ゲイン制御部
１８    同軸ケーブル接続用コネクタ
１９    主マイコン
２０、３３    不揮発性メモリ
２１    Ｄ／Ａコンバータ
２２    ＬＥＤ駆動部
２３    受光レベル表示用ＬＥＤ
２４〜２６、３４〜３６    端子
２７    電源端子
２８    電源制御部
２９    電源部
３０    遠隔制御ユニット
３１    ＦＳＫ復調器
３２    副マイコン
Ｐ１〜Ｐ９    ピン
【図１】
2010016527.tif 000003
【図２】
2010016527.tif 000004
【図３】
2010016527.tif 000005
【図４】
2010016527.tif 000006